(57)【要約】【課題】録画番組の縮小画像を情報提供装置から得られない場合でも、その縮小画像を含む録画一覧を表示することができる情報表示装置を提供する。【解決手段】情報表示装置１０は、録画番組の属性を示す一覧生成用情報を情報提供装置３００に要求して取得する情報取得部１１と、情報取得部１１によって取得された一覧生成用情報に、録画番組の縮小画像が含まれているか否かを判定する判定部１２と、判定部１２によって含まれていないと判定された際に、縮小画像に対応する録画番組を情報提供装置３００に要求し、録画番組を取得する番組取得部１３と、番組取得部１３によって取得された録画番組から縮小画像を生成する縮小画像生成部１４と、一覧生成用情報によって示される録画番組の属性を表示するための属性画像と、生成された縮小画像とを含む録画一覧を生成する一覧生成部１５と、録画一覧を表示する表示部１６とを備える。【選択図】図９
2012029068.tif 000002
【特許請求の範囲】
【請求項１】
動画像である録画番組を格納している情報提供装置と通信し、前記情報提供装置に格納されている録画番組の一覧である録画一覧を表示する情報表示装置であって、
前記情報提供装置に格納されている録画番組ごとに、少なくとも当該録画番組の属性を示す一覧生成用情報を、前記情報提供装置に要求して取得する情報取得部と、
前記情報取得部によって取得された前記一覧生成用情報に、録画番組の縮小画像が含まれているか否かを判定する判定部と、
前記判定部によって含まれていないと判定された際に、前記縮小画像に対応する録画番組を前記情報提供装置に要求し、前記録画番組の少なくとも一部を取得する番組取得部と、
前記番組取得部によって取得された前記録画番組の少なくとも一部から縮小画像を生成する縮小画像生成部と、
前記一覧生成用情報によって示される前記録画番組の属性を表示するための属性画像と、前記縮小画像生成部によって生成された前記縮小画像とを含む前記録画一覧を生成する一覧生成部と、
前記一覧生成部によって生成された録画一覧を表示する表示部と
を備える情報表示装置。
【請求項２】
前記判定部は、さらに、前記一覧生成用情報に、縮小画像を識別するための識別情報が前記録画番組の属性の一部として示されているか否かを判別し、
前記識別情報が示されていると判別した後に、前記一覧生成用情報に、前記識別情報によって識別される縮小画像が含まれているか否かを判定する
請求項１に記載の情報表示装置。
【請求項３】
前記縮小画像生成部は、前記録画番組に含まれるピクチャのうち、前記録画番組の再生によって最初に表示されるピクチャを選択し、選択された前記ピクチャを縮小することによって前記縮小画像を生成する
請求項１または２に記載の情報表示装置。
【請求項４】
前記情報表示装置は、さらに、
縮小画像を記録するための記録媒体と、
前記録画番組の縮小画像が含まれていないと前記判定部によって判定された際に、前記記録媒体に格納されている既存画像が利用可能か否かを判定する利用判定部とを備え、
前記縮小画像生成部は、さらに、縮小画像を生成するごとに、当該縮小画像を前記既存画像として前記記録媒体に格納し、
前記番組取得部は、さらに、前記利用判定部によって利用可能と判定された際には、前記録画番組の前記情報提供装置への要求を行わず、
前記一覧生成部は、前記利用判定部によって利用可能と判定された際には、前記記録媒体に格納されている前記既存画像を含む前記録画一覧を生成する
請求項１〜３の何れか１項に記載の情報表示装置。
【請求項５】
前記利用判定部は、前記判定部によって含まれていないと判定された縮小画像に対応する録画番組の少なくとも一部から前記既存画像が生成されている場合に、前記既存画像が利用可能であると判定する
請求項４に記載の情報表示装置。
【請求項６】
前記情報表示装置は、さらに、
前記録画番組の縮小画像が含まれていないと前記判定部によって判定された際に、前記情報表示装置にネットワークを介して接続された少なくとも１つの機器から、前記縮小画像として利用可能な代替画像を検索する検索部と、
前記判定部によって含まれていないと判定された前記縮小画像に対する対応処理を、前記縮小画像生成部による縮小画像の生成と、前記検索部による代替画像の検索とに切り替える切り替え部とを備え、
前記一覧生成部は、前記切り替え部によって前記対応処理が前記代替画像の検索に切り替えられた場合には、前記縮小画像の代わりに、前記検索部によって検索された代替画像を含む前記録画一覧を生成する
請求項１〜３の何れか１項に記載の情報表示装置。
【請求項７】
前記検索部は、前記一覧生成用情報によって示される前記録画番組の属性に関連付けられている画像を前記代替画像として検索する
請求項６に記載の情報表示装置。
【請求項８】
前記縮小画像生成部は、前記表示部によって表示可能なファイル形式で前記縮小画像を生成する
請求項１〜７の何れか１項に記載の情報表示装置。
【請求項９】
動画像である録画番組を格納している情報提供装置と通信し、前記情報提供装置に格納されている録画番組の一覧である録画一覧を表示する情報表示方法であって、
前記情報提供装置に格納されている録画番組ごとに、少なくとも当該録画番組の属性を示す一覧生成用情報を、前記情報提供装置に要求して取得する情報取得ステップと、
前記情報取得ステップによって取得された前記一覧生成用情報に、録画番組の縮小画像が含まれているか否かを判定する判定ステップと、
前記判定ステップによって含まれていないと判定された際に、前記縮小画像に対応する録画番組を前記情報提供装置に要求し、前記録画番組の少なくとも一部を取得する番組取得ステップと、
前記番組取得ステップによって取得された前記録画番組の少なくとも一部から縮小画像を生成する縮小画像生成ステップと、
前記一覧生成用情報によって示される前記録画番組の属性を表示するための属性画像と、前記縮小画像生成部によって生成された前記縮小画像とを含む前記録画一覧を生成する一覧生成ステップと、
前記一覧生成ステップによって生成された録画一覧を表示する表示ステップと
を含む情報表示方法。
【請求項１０】
請求項１〜８の何れか１項に記載の情報表示装置が備える各部としてコンピュータを機能させるプログラム。
【請求項１１】
動画像である録画番組を格納している情報提供装置と通信し、前記情報提供装置に格納されている録画番組の一覧である録画一覧を生成する集積回路であって、
前記情報提供装置に格納されている録画番組ごとに、少なくとも当該録画番組の属性を示す一覧生成用情報を、前記情報提供装置に要求して取得する情報取得部と、
前記情報取得部によって取得された前記一覧生成用情報に、録画番組の縮小画像が含まれているか否かを判定する判定部と、
前記判定部によって含まれていないと判定された際に、前記縮小画像に対応する録画番組を前記情報提供装置に要求し、前記録画番組の少なくとも一部を取得する番組取得部と、
前記番組取得部によって取得された前記録画番組の少なくとも一部から縮小画像を生成する縮小画像生成部と、
前記一覧生成用情報によって示される前記録画番組の属性を表示するための属性画像と、前記縮小画像生成部によって生成された前記縮小画像とを含む前記録画一覧を生成する一覧生成部と
を備える集積回路。
【発明の詳細な説明】
【技術分野】
【０００１】
本発明は、録画番組を格納している情報提供装置から、その録画番組に関する情報を取得し、その情報を表示する情報表示装置に関する。
【背景技術】
【０００２】
家庭用の電気機器（以下、機器と称す）には、ビデオレコーダまたはＤＶＤ（Digital Versatile Disc）レコーダといった、ＧＵＩ（Graphical User Interface）などによって情報を提供する情報提供装置がある。この情報提供装置は、録画された番組（録画番組）の一覧である録画一覧を生成するための情報（以下、一覧生成用情報という）を予め決まった形式で保存し、その一覧生成用情報に基づいて画像である複数のＵＩ（User Interface）部品を生成し、テレビなどのディスプレイ上にその複数のＵＩ部品をレイアウトして表示する。つまり、ディスプレイ上には、複数のＵＩ部品からなる録画一覧が表示される。一覧生成用情報は、録画番組ごとに番組情報を含み、その番組情報は、録画番組のタイトル（番組タイトル）、録画が行われた日時（録画日時）、およびチャンネルなどを示す複数の番組属性情報を含む。したがって、録画一覧の録画番組ごとに設定された番組欄には、その録画番組の各番組属性情報に対応するＵＩ部品が含まれて表示される。
【０００３】
ところで、現在、機器がネットワークに繋がるようになり、そのネットワークに接続された複数の機器同士が、一覧生成用情報を共有することが可能となっている。つまり、情報提供装置は、保存している一覧生成用情報を、その情報提供装置とネットワークを介して接続された機器であるテレビなどの情報表示装置に送信する。情報表示装置は、その一覧生成用情報を受信し、その一覧生成用情報に基づいて複数のＵＩ部品を生成し、それらのＵＩ部品のレイアウトを設定し、そのレイアウトにしたがって各ＵＩ部品を表示する。これにより、情報表示装置には録画一覧が表示される。
【０００４】
しかし、従来の情報表示装置では、録画一覧を適切に表示することができない場合がある。例えば、情報提供装置が、録画番組のそれぞれの縮小画像を含む一覧生成用情報を保存していても、その情報提供装置にネットワークを介して接続された従来の情報表示装置では、それらの縮小画像を録画一覧に含めて表示することができない。なお、縮小画像とは、例えば静止画像であるサムネイルであって、動画像である録画番組に含まれるピクチャが縮小された画像である。
【０００５】
図１０は、情報提供装置と情報表示装置との接続状態を示す図である。
情報表示装置であるテレビ２０１およびテレビ２０２は、情報提供装置であるＤＶＤレコーダ２０３に接続されている。ここで、テレビ２０１は、例えばＨＤＭＩ（High-Definition Multimedia Interface）にしたがって映像音声入出力ケーブルでＤＶＤレコーダ２０３に接続され、テレビ２０２は、ＬＡＮケーブルなどによってネットワーク２１０を介してＤＶＤレコーダ２０３に接続されている。
【０００６】
ＤＶＤレコーダ２０３は、縮小画像を含む一覧生成用情報を保存している。ＤＶＤレコーダ２０３は、映像音声入出力ケーブルを介して、その縮小画像を含む一覧生成用情報をテレビ２０１に送信する。一方、ＤＶＤレコーダ２０３は、ネットワークを介して、縮小画像を含まない一覧生成用情報をテレビ２０２に送信する。
【０００７】
ここで、著作権問題に関する規格では、情報提供装置からネットワーク経由で縮小画像を情報表示装置に送信することが禁止されている場合がある。例えば、その規格（DTCP-IP（Digital Transmission Content Protection over Internet Protocol）など）では、家庭内において、コンテンツを暗号化してＩＰ（Internet Protocol）ネットワークに送信する際に、コンテンツの不正なコピーを防止するため、録画番組から生成された縮小画像は不正コピーとみなされて、その縮小画像を送信することが禁止されている。
【０００８】
したがって、上述のＤＶＤレコーダ２０３は、その著作権問題に関する規格にしたがって、縮小画像を含まない一覧生成用情報をテレビ２０２に送信している。その結果、テレビ２０１には、それぞれ縮小画像ｐ１を含む複数の番組欄からなる録画一覧Ｌ１が表示され、テレビ２０２には、それぞれ縮小画像が含まれていない番組欄からなる録画一覧Ｌ２が表示される。
【０００９】
図１１Ａは、テレビ２０１で表示される番組欄の一例を示す図である。
テレビ２０１に表示される録画一覧Ｌ１において、１つの録画番組に対する番組欄２０４には、複数のＵＩ部品が含まれる。つまり番組欄２０４には、それぞれ縮小画像、ステータス、録画日時、チャンネル、および番組タイトルを示す複数のＵＩ部品が含まれている。ここで、ステータスは、録画番組の状態を示す情報であって、例えば、その録画番組がユーザによって既に視聴されたか否かを示す情報と、ダビング可能な回数とを含む。具体的には、ステータスを示すＵＩ部品は、図１１Ａに示すように、「未」および「１０」を表して縮小画像ｐ１の右隣に配置される。このステータスまたはＵＩ部品は、録画番組が視聴されておらず、録画番組のダビングが１０回可能であることを示す。
【００１０】
図１１Ｂは、テレビ２０２で表示される番組欄の一例を示す図である。
テレビ２０２に表示される録画一覧Ｌ２において、１つの録画番組に対する番組欄２０５には、複数のＵＩ部品が含まれる。しかし、この番組欄２０５には、縮小画像からなるＵＩ部品は含まれず、それぞれステータス、録画日時、チャンネル、および番組タイトルを示す複数のＵＩ部品のみが含まれる。
【００１１】
このように、ＤＶＤレコーダ２０３にネットワーク２１０を介して接続された情報表示装置であるテレビ２０２では、テレビ２０１と異なり、縮小画像ｐ１を含む録画一覧が表示されない。
【００１２】
そこで、従来、ネットワークを介して接続された装置の機能に応じてＵＩ部品を生成して表示する情報表示装置（情報処置装置）が提案されている（例えば、特許文献１参照）。上記特許文献１の情報表示装置は、ネットワークを介して接続された周辺機器を検索し、その周辺機器と連携可能な機能を操作するためのＵＩ部品を生成して表示する。つまり、この特許文献１の情報表示装置は、ネットワーク２１０を介して接続されたＤＶＤレコーダ２０３と連携可能な機能を操作するためのＵＩ部品を生成して表示する。
【先行技術文献】
【特許文献】
【００１３】
【特許文献１】特開２００５−１７４０２７号公報
【発明の概要】
【発明が解決しようとする課題】
【００１４】
しかしながら、上記特許文献１の情報表示装置であっても、縮小画像を含む録画一覧を表示することができないという問題がある。
【００１５】
つまり、ＤＶＤレコーダ２０３に縮小画像を提供する機能があっても、規格上、ＤＶＤレコーダ２０３は、ネットワークに接続された情報表示装置（テレビ２０２）にその縮小画像を提供することできない。したがって、上記特許文献１の情報表示装置では、そのＤＶＤレコーダ２０３から提供される縮小画像のＵＩ部品を生成して表示しようとしても、その縮小画像が提供されないために、縮小画像を含む録画一覧を表示することができのないのである。
【００１６】
図１２は、上記特許文献１の情報表示装置で表示される番組欄の一例を示す図である。
上記特許文献１の情報表示装置は、録画一覧を生成するために縮小画像を必要とするが、情報提供装置（ＤＶＤレコーダ２０３）からネットワーク２１０経由で縮小画像を取得することができない。したがって、情報表示装置は、縮小画像を表示するための空白の画像領域をＵＩ部品ｐ０として生成し、そのＵＩ部品ｐ０と他のＵＩ部品を含む番組欄２０６を表示する。
【００１７】
このように、上記特許文献１の情報表示装置の技術を利用しても、縮小画像を含む録画一覧を表示することはできない。
【００１８】
そこで、本発明は、かかる問題に鑑みてなされたものであって、録画番組の縮小画像を情報提供装置から得られない場合でも、その縮小画像を含む録画一覧を表示し得る情報表示装置を提供することを目的とする。
【課題を解決するための手段】
【００１９】
上記目的を達成するために、本発明に係る情報表示装置は、動画像である録画番組を格納している情報提供装置と通信し、前記情報提供装置に格納されている録画番組の一覧である録画一覧を表示する情報表示装置であって、前記情報提供装置に格納されている録画番組ごとに、少なくとも当該録画番組の属性を示す一覧生成用情報を、前記情報提供装置に要求して取得する情報取得部と、前記情報取得部によって取得された前記一覧生成用情報に、録画番組の縮小画像が含まれているか否かを判定する判定部と、前記判定部によって含まれていないと判定された際に、前記縮小画像に対応する録画番組を前記情報提供装置に要求し、前記録画番組の少なくとも一部を取得する番組取得部と、前記番組取得部によって取得された前記録画番組の少なくとも一部から縮小画像を生成する縮小画像生成部と、前記一覧生成用情報によって示される前記録画番組の属性を表示するための属性画像と、前記縮小画像生成部によって生成された前記縮小画像とを含む前記録画一覧を生成する一覧生成部と、前記一覧生成部によって生成された録画一覧を表示する表示部とを備える。
【００２０】
これにより、情報表示装置に取得された一覧生成用情報に縮小画像が含まれていない場合には、情報表示装置から情報提供装置に対して録画番組が要求され、情報表示装置では、その録画番組から縮小画像が生成されて、その縮小画像が録画一覧に含めて表示される。つまり、情報提供装置がネットワークを介して情報表示装置に接続されているために、その情報提供装置が縮小画像を含む一覧生成用情報を情報表示装置に送信することができない場合であっても、情報表示装置では、縮小画像を自動的に生成することができ、その縮小画像を含む録画一覧を表示することができる。
【００２１】
また、前記判定部は、さらに、前記一覧生成用情報に、縮小画像を識別するための識別情報が前記録画番組の属性の一部として示されているか否かを判別し、前記識別情報が示されていると判別した後に、前記一覧生成用情報に、前記識別情報によって識別される縮小画像が含まれているか否かを判定する。
【００２２】
例えば、一覧生成用情報に基づいて生成される録画一覧には、録画番組の縮小画像が必要とされず、録画番組のタイトルなどの属性のみ表示される場合がある。したがって、一覧生成用情報が映像音声入出力ケーブルを介して情報表示装置に送信される際に、録画一覧に縮小画像が必要とされる場合には、その一覧生成用情報には、その縮小画像が含められるとともに、その縮小画像を識別するための識別情報（ファイル名）が録画番組の属性の一部として示される。一方、一覧生成用情報が映像音声入出力ケーブルを介して情報表示装置に送信される際に、録画一覧に縮小画像が必要とされない場合には、その一覧生成用情報には、その縮小画像は含められず、その識別情報も示されていない。
【００２３】
このように、一覧生成用情報が映像音声入出力ケーブルを介して情報表示装置に送信される際には、録画一覧に縮小画像が必要とされる場合にのみ、その一覧生成用情報に、縮小画像が含まれるとともに、その縮小画像の識別情報が示されている。
【００２４】
そこで、本発明に係る情報表示装置では、一覧生成用情報に識別情報が示されているか否かが判別され、示されていると判別された後に、一覧生成用情報に縮小画像が含まれているか否かが判定される。したがって、一覧生成用情報がネットワークを介して情報表示装置に送信される際には、録画一覧に縮小画像が必要とされているか否かを識別情報の存否によって判別して、必要とされている場合にのみ、一覧生成用情報に縮小画像が含まれているか否かを判定することができる。その結果、録画一覧に縮小画像が必要とされていないときにまで、一覧生成用情報に縮小画像が含まれてないと判定し、縮小画像を生成してしまうような不要な処理を省くことができる。
【００２５】
また、前記縮小画像生成部は、前記録画番組に含まれるピクチャのうち、前記録画番組の再生によって最初に表示されるピクチャを選択し、選択された前記ピクチャを縮小することによって前記縮小画像を生成する。
【００２６】
これにより、録画番組が情報提供装置から情報表示装置へストリーミング配信されても、その録画番組の先頭のピクチャから縮小画像が生成されるため、録画番組が全て受信されるまで待つことなく、縮小画像を迅速に生成して録画一覧に含めて表示することができる。
【００２７】
また、前記情報表示装置は、さらに、縮小画像を記録するための記録媒体と、前記録画番組の縮小画像が含まれていないと前記判定部によって判定された際に、前記記録媒体に格納されている既存画像が利用可能か否かを判定する利用判定部とを備え、前記縮小画像生成部は、さらに、縮小画像を生成するごとに、当該縮小画像を前記既存画像として前記記録媒体に格納し、前記番組取得部は、さらに、前記利用判定部によって利用可能と判定された際には、前記録画番組の前記情報提供装置への要求を行わず、前記一覧生成部は、前記利用判定部によって利用可能と判定された際には、前記記録媒体に格納されている前記既存画像を含む前記録画一覧を生成する。例えば、前記利用判定部は、前記判定部によって含まれていないと判定された縮小画像に対応する録画番組の少なくとも一部から前記既存画像が生成されている場合に、前記既存画像が利用可能であると判定する。
【００２８】
これにより、一覧生成用情報に縮小画像が含まれていないと判定された際に、記録媒体に格納されている既存画像が利用可能な場合には、その既存画像を含む録画一覧が生成されるため、縮小画像が含まれていないと判定されるたびに、録画番組を情報提供装置に要求して取得し、その録画番組から縮小画像を生成するような処理を省くことができる。
【００２９】
また、前記情報表示装置は、さらに、前記録画番組の縮小画像が含まれていないと前記判定部によって判定された際に、前記情報表示装置にネットワークを介して接続された少なくとも１つの機器から、前記縮小画像として利用可能な代替画像を検索する検索部と、前記判定部によって含まれていないと判定された前記縮小画像に対する対応処理を、前記縮小画像生成部による縮小画像の生成と、前記検索部による代替画像の検索とに切り替える切り替え部とを備え、前記一覧生成部は、前記切り替え部によって前記対応処理が前記代替画像の検索に切り替えられた場合には、前記縮小画像の代わりに、前記検索部によって検索された代替画像を含む前記録画一覧を生成する。例えば、前記検索部は、前記一覧生成用情報によって示される前記録画番組の属性に関連付けられている画像を前記代替画像として検索する。
【００３０】
これにより、一覧生成用情報に縮小画像が含まれていないと判定された際には、ネットワークを介して検索された代替画像が利用され、縮小画像の代わりにその代替画像を含む録画一覧が生成されるため、録画番組から縮小画像を生成するような処理を省くことができる。
【００３１】
なお、本発明は、このような情報表示装置として実現することができるだけでなく、その情報表示装置における処理動作の方法、コンピュータにその処理動作させるためのプログラム、そのプログラムを格納する記憶媒体、または情報表示装置として機能する集積回路としても実現することができる。
【発明の効果】
【００３２】
本発明の情報表示装置は、録画番組の縮小画像を情報提供装置から得られない場合でも、その縮小画像を含む録画一覧を表示することができる。
【図面の簡単な説明】
【００３３】
【図１】図１は、本発明の実施の形態における情報表示装置および情報提供装置の構成を示すブロック図である。
【図２】図２は、同上の録画一覧情報の一例を示す図である。
【図３】図３は、同上のレイアウト情報の一例を示す図である。
【図４】図４は、同上の情報表示装置によって表示される録画一覧を説明するための説明図である。
【図５】図５は、同上の情報提供装置と情報表示装置との間での処理動作を示すシーケンス図である。
【図６】図６は、同上の情報提供装置の録画処理部の処理動作を示すフローチャートである。
【図７】図７は、同上の情報提供装置の配信処理部の処理動作を示すフローチャートである。
【図８】図８は、同上の情報表示装置のＵＩ実行部の処理動作を示すフローチャートである。
【図９】図９は、本発明に係る情報表示装置の構成を示すブロック図である。
【図１０】図１０は、情報提供装置と情報表示装置との接続状態を示す図である。
【図１１Ａ】図１１Ａは、テレビで表示される番組欄の一例を示す図である。
【図１１Ｂ】図１１Ｂは、従来のテレビで表示される番組欄の一例を示す図である。
【図１２】図１２は、従来の情報表示装置で表示される番組欄の一例を示す図である。
【発明を実施するための形態】
【００３４】
以下、本発明の実施形態における情報表示装置について、図面を参照しながら説明する。
【００３５】
本実施の形態における情報表示装置は、情報提供装置から取得した一覧生成用情報に縮小画像が含まれない場合、録画番組から縮小画像を生成し、生成した縮小画像をＵＩ部品として録画一覧に含ませて表示する点に特徴がある。
【００３６】
図１は、本実施の形態における情報表示装置および情報提供装置の構成を示すブロック図である。
【００３７】
情報提供装置３００は、情報表示装置１００からの要求に応じて、ネットワーク２１０を介して、一覧生成用情報を情報表示装置１００に提供する。情報表示装置１００は、情報提供装置３００からネットワーク２１０を介してその一覧生成用情報を取得し、その一覧生成用情報に基づいて録画一覧を生成して表示する。
【００３８】
情報提供装置３００は、例えば放送された番組を録画する機能を有し、録画処理部３０５、一覧管理部３０１、録画管理部３０２、レイアウト管理部３０４、および配信処理部３０３を備えている。
【００３９】
一覧管理部３０１は、録画一覧情報３０１ａを記録するための領域を有する記録媒体である。この録画一覧情報３０１ａは、録画番組ごとに、その録画番組に関する情報である番組情報を含み、情報表示装置１００によるＵＩ部品の生成に利用される。
【００４０】
録画管理部３０２は、動画像である録画番組３０２ａと、その録画番組３０２ａに対応する縮小画像（サムネイル）３０２ｂとを記録するための領域を有する記録媒体である。
【００４１】
レイアウト管理部３０４は、録画一覧情報３０１ａに基づいて生成されるＵＩ部品のレイアウトを示すレイアウト情報３０４ａを記録するための領域を有する記録媒体である。レイアウト情報３０４ａは、具体的には、ＵＩ部品のタイプ（例えば、ラベル部品、イメージ部品、またはボタン部品）、位置、およびサイズなどを示す。
【００４２】
録画処理部３０５は、放送された番組を録画し、その録画によって生成された録画番組３０２ａを録画管理部３０２に格納する。さらに、録画処理部３０５は、録画番組３０２ａから縮小画像３０２ｂを生成して録画管理部３０２に格納する。
【００４３】
また、録画処理部３０５は、録画管理部３０２に格納されている録画番組３０２ａの一覧を示す録画一覧情報３０１ａを生成し、一覧管理部３０１に格納する。さらに、録画処理部３０５は、録画一覧情報３０１ａに対するレイアウト情報３０４ａを生成してレイアウト管理部３０４に格納する。また、録画処理部３０５は、録画管理部３０２に録画番組３０２ａおよび縮小画像３０２ｂが格納されるごとに、その格納された録画番組３０２ａおよび縮小画像３０２ｂに関する情報が反映されるように、一覧管理部３０１およびレイアウト管理部３０４に格納されている録画一覧情報３０１ａおよびレイアウト情報３０４ａを更新する。
【００４４】
配信処理部３０３は、情報表示装置１００からの一覧生成用情報の要求に応じて、その一覧生成用情報を情報表示装置１００に送信する。さらに、配信処理部３０３は、情報表示装置１００からの録画番組３０２ａの要求に応じて、録画管理部３０２に格納されている録画番組３０２ａを情報表示装置１００に送信する。このとき、情報提供装置３００がネットワークを介して情報表示装置１００に接続されている場合には、録画番組３０２ａは情報提供装置３００から情報表示装置１００へストリーミングされる。
【００４５】
ここで、配信処理部３０３は、一覧生成用情報を送信するときには、一覧生成用情報がネットワークを経由して送信されるか否かを判別する。配信処理部３０３は、一覧生成用情報がネットワークを経由して送信されないと判別すると、一覧管理部３０１に保持されている録画一覧情報３０１ａと、レイアウト管理部３０４に保持されているレイアウト情報３０４ａと、録画管理部３０２に格納されている縮小画像３０２ｂとを含む一覧生成用情報を送信する。例えば、配信処理部３０３は、情報提供装置３００が例えばＨＤＭＩ（High-Definition Multimedia Interface）にしたがって映像音声入出力ケーブルで情報表示装置１００に接続されている場合には、一覧生成用情報がネットワークを経由して送信されないと判別する。
【００４６】
一方、配信処理部３０３は、一覧生成用情報がネットワークを経由して送信されると判別すると、一覧管理部３０１に保持されている録画一覧情報３０１ａと、レイアウト管理部３０４に保持されているレイアウト情報３０４ａとを含む一覧生成用情報を送信する。この場合に送信される一覧生成用情報には、縮小画像３０２ｂが含まれていない。図１に示すように、情報提供装置３００がネットワーク２１０を介して情報表示装置１００に接続されている場合には、配信処理部３０３は、縮小画像３０２ｂを含んでいない一覧生成用情報を送信する。
【００４７】
情報表示装置１００は、例えばテレビとしての機能を有し、取得要求部１０１、ＵＩ実行部１０２、縮小画像情報検出部１０３、縮小画像生成部１０４、縮小画像管理部１０５、ＵＩ生成部１０６、および表示部１０７を備える。
【００４８】
取得要求部１０１は、ＵＩ実行部１０２からの指示に応じて、一覧生成用情報または録画番組３０２ａを情報提供装置３００に要求する。また、取得要求部１０１は、その要求に応じて情報提供装置３００から送信された上述の一覧生成用情報または録画番組３０２ａを受信してＵＩ実行部１０２に出力する。
【００４９】
ＵＩ実行部１０２は、縮小画像情報検出部１０３、縮小画像生成部１０４、縮小画像管理部１０５、ＵＩ生成部１０６、および表示部１０７を制御することにより、録画一覧をＵＩとして表示するための処理を実行する。
【００５０】
縮小画像情報検出部１０３は、取得要求部１０１によって受信された一覧生成用情報に含まれる録画一覧情報３０１ａを、ＵＩ実行部１０２を介して取得する。さらに、縮小画像情報検出部１０３は、その録画一覧情報３０１ａに後述する縮小画像情報が含まれているか否かを判定する。そして、縮小画像情報検出部１０３は、その判定結果をＵＩ実行部１０２に通知する。
【００５１】
縮小画像生成部１０４は、取得要求部１０１によって受信された録画番組３０２ａの少なくとも一部を、ＵＩ実行部１０２を介して取得する。さらに、縮小画像生成部１０４は、その取得した録画番組３０２ａに含まれる何れかのピクチャを縮小することによって、縮小画像１０５ａを生成する。例えば、縮小画像生成部１０４は、録画番組３０２ａを再生した際の最初に表示されるピクチャをキャプチャし、そのキャプチャされたピクチャを縮小することによって縮小画像１０５ａを生成する。
【００５２】
また、縮小画像生成部１０４は、取得要求部１０１によって受信された一覧生成用情報に含まれる録画一覧情報３０１ａを、ＵＩ実行部１０２を介して取得する。そして、縮小画像生成部１０４は、その録画一覧情報３０１ａに示されているファイル名を、生成された縮小画像１０５ａに付ける。縮小画像生成部１０４は、そのファイル名が付けられた縮小画像１０５ａを縮小画像管理部１０５に格納する。
【００５３】
縮小画像管理部１０５は、縮小画像生成部１０４によって生成された縮小画像１０５ａを格納するための領域を有する記録媒体である。
【００５４】
ＵＩ生成部１０６は、取得要求部１０１によって受信された一覧生成用情報を、ＵＩ実行部１０２を介して取得する。さらに、ＵＩ生成部１０６は、その取得した一覧生成用情報に基づいて複数のＵＩ部品を生成することにより、その複数のＵＩ部品からなる録画一覧、つまりＵＩ画面を生成する。ここで、ＵＩ生成部１０６は、一覧生成用情報に縮小画像３０２ｂが含まれている場合には、その縮小画像３０２ｂをＵＩ部品として含む録画一覧を生成する。一方、ＵＩ生成部１０６は、一覧生成用情報に縮小画像３０２ｂが含まれていない場合には、縮小画像生成部１０４によって生成されて縮小画像管理部１０５に格納されている縮小画像１０５ａを、その縮小画像管理部１０５から読み出し、読み出した縮小画像１０５ａをＵＩ部品として含む録画一覧を生成する。
【００５５】
表示部１０７は、ＵＩ生成部１０６によって生成されたＵＩ画面である録画一覧を、ＵＩ実行部１０２を介して取得して表示する。
【００５６】
図２は、録画一覧情報３０１ａの一例を示す図である。
録画一覧情報３０１ａは、例えば図２に示すように、ＸＭＬ（Extensible Markup Language）で記述されている。この録画一覧情報３０１ａには、＜ｒｅｃｏｒｄｉｎｇ＞タグごとに、１つの録画番組３０２ａに対する番組情報が記述される。なお、番組情報は、録画番組３０２ａの属性などを示し、識別子（＜ｉｄ＞タグ）によって識別される。例えば、番組情報は、番組タイトル（＜ｔｉｔｌｅ＞タグ）、日付（＜ｄａｔｅ＞タグ）、時間（＜ｔｉｍｅ＞タグ）、チャンネル（＜ｃｈａｎｎｌｅ＞タグ）、ステータス（＜ｓｔａｔｕｓ＞タグ）、および、縮小画像３０２ｂのファイル名（＜ｔｈｕｍｂｎａｉｌ＞タグ）をそれぞれ属性項目（番組属性情報）として含む。番組タイトルは、録画番組３０２ａの名称であり、日付および時間は、録画番組３０２ａが録画または放送された日時であり、チャンネルは、録画番組３０２ａの配信に利用されたチャンネルである。また、ステータスは、録画番組３０２ａの状態を示す情報であって、例えば、その録画番組３０２ａがユーザによって既に視聴されたか否かを示す情報（＜ｗａｔｃｈ＞タグ）と、ダビング可能な回数（＜ｄｕｂｂｉｎｇ＞タグ）とを含む。
【００５７】
なお、録画一覧情報３０１ａは、ＸＭＬの形式でなく、他の形式（例えば、ＪＳＯＮ（Java（登録商標）Script Object Notation）などで構成されていてもよい。
【００５８】
縮小画像情報検出部１０３は、録画番組３０２ａごとに、この録画一覧情報３０１ａから＜ｔｈｕｍｂｎａｉｌ＞タグを検索し、この＜ｔｈｕｍｂｎａｉｌ＞タグが見つかれば、その録画一覧情報３０１ａに縮小画像情報が含まれていると判定する。つまり、＜ｔｈｕｍｂｎａｉｌ＞タグが縮小画像情報である。
【００５９】
縮小画像生成部１０４は、録画番組３０２ａから縮小画像１０５ａを生成し、その縮小画像１０５ａに対してファイル名を付けるときには、その録画番組３０２ａに対して録画一覧情報３０１ａに記述されている＜ｔｈｕｍｂｎａｉｌ＞タグのファイル名を縮小画像１０５ａに付ける。なお、縮小画像生成部１０４は、縮小画像１０５ａを生成するときには、録画一覧情報３０１ａに示される縮小画像３０２ｂのファイル名（＜ｔｈｕｍｂｎａｉｌ＞タグ）に基づいて、その縮小画像３０２ｂのファイル形式を特定し、そのファイル形式の縮小画像１０５ａを生成する。例えば、ファイル名が「ｔｈｕｍｂｎａｉｌ．ｐｎｇ」であれば、縮小画像生成部１０４はｐｎｇ形式の縮小画像１０５ａを生成する。
【００６０】
図３は、レイアウト情報３０４ａの一例を示す図である。
レイアウト情報３０４ａは、録画一覧情報３０１ａと同様、図３に示すようにＸＭＬで記述されている。このレイアウト情報３０４ａは、録画一覧情報３０１ａに含まれる属性項目ごとに、その属性項目から生成されるＵＩ部品の構成情報、例えば、タイプ（＜ｔｙｐｅ＞タグ）、ｘ座標値（＜ｘ＞タグ）、ｙ座標値（＜ｙ＞タグ）、幅（＜ｗｉｄｔｈ＞タグ）、および高さ（＜ｈｅｉｇｈｔ＞タグ）などを示す。タイプは、ＵＩ部品の種別であって、例えばラベル、イメージ、またはボタンを示す。また、ｘ座標値およびｙ座標値は、ＵＩ部品が配置される位置を示し、幅および高さは、ＵＩ部品のサイズを示す。
【００６１】
ＵＩ生成部１０６は、録画番組３０２ａごとに、図２に示す録画一覧情報３０１ａに含まれるその録画番組３０２ａの複数の属性項目のそれぞれに対するＵＩ部品を生成する。このとき、ＵＩ生成部１０６は、一覧生成用情報に含まれているレイアウト情報３０４ａの中の、ＵＩ部品の生成対象とされる属性項目に対応する構造情報を参照する。生成対象の属性項目が番組タイトルであれば、ＵＩ生成部１０６は、録画一覧情報３０１ａの＜ｔｉｔｌｅ＞タグに示される番組タイトルが表記され、且つ、レイアウト情報３０４ａ中の構造情報に示されるタイプおよびサイズなどにしたがって形成されたＵＩ部品を生成し、その構造情報に示される位置にそのＵＩ部品を配置する。ＵＩ生成部１０６は、録画一覧情報３０１ａの番組情報に含まれる属性項目ごとに、ＵＩ部品の生成および配置を繰り返すことによって、録画一覧の１つの番組欄には、その番組情報、つまり、その番組情報に対応する録画番組３０２ａに関する複数のＵＩ部品が含まれる。また、ＵＩ生成部１０６は、その録画番組３０２ａに対応する番組欄に複数のＵＩ部品を含める処理を、録画番組３０２ａごとに行うことによって、録画一覧であるＵＩ画面を生成する。
【００６２】
ここで、ＵＩ生成部１０６は、＜ｔｈｕｍｂｎａｉｌ＞タグに対するＵＩ部品を生成するときには、その＜ｔｈｕｍｂｎａｉｌ＞タグに示されるファイル名の縮小画像をＵＩ実行部１０２から取得する。そして、ＵＩ生成部１０６は、レイアウト情報３０４ａ中の構造情報に示されるサイズなどにしたがってその縮小画像を加工する。これにより、ＵＩ部品が、その加工された縮小画像として生成される。なお、図３では、縮小画像のＵＩ部品に対する構成情報が示されている。
【００６３】
つまり、ＵＩ実行部１０２は、＜ｔｈｕｍｂｎａｉｌ＞タグ、つまり縮小画像情報が録画一覧情報３０１ａに含まれていると縮小画像情報検出部１０３によって判定された場合には、その＜ｔｈｕｍｂｎａｉｌ＞タグによって示されるファイル名の縮小画像を取得して、ＵＩ生成部１０６に出力している。ＵＩ実行部１０２は、取得要求部１０１から一覧生成用情報を取得し、その一覧生成用情報に縮小画像３０２ｂが含まれていれば、その縮小画像３０２ｂをＵＩ生成部１０６に出力し、その一覧生成用情報に縮小画像３０２ｂが含まれていなければ、縮小画像管理部１０５から縮小画像１０５ａを取得してＵＩ生成部１０６に出力する。
【００６４】
図４は、情報表示装置１００によって表示される録画一覧を説明するための説明図である。
【００６５】
情報表示装置１００は、例えばＨＤＭＩ（High-Definition Multimedia Interface）にしたがって映像音声入出力ケーブルで情報提供装置３００に接続されている場合には、縮小画像３０２ｂを含む一覧生成用情報を情報提供装置３００から取得する。その結果、情報表示装置１００は、ＵＩ部品として縮小画像３０２ｂを含む録画一覧Ｌ１を表示する。
【００６６】
情報表示装置１００は、例えばＬＡＮケーブルなどによってネットワーク２１０を介して情報提供装置３００に接続されている場合には、縮小画像３０２ｂを含まない一覧生成用情報を情報提供装置３００から取得する。ここで、本実施の形態の情報表示装置１００は、情報提供装置３００にその縮小画像３０２ｂに対応する録画番組３０２ａを要求する。その結果、録画番組３０２ａが情報提供装置３００からネットワーク２１０を介して情報表示装置１００にストリーミングされる。情報表示装置１００は、そのストリーミングによって録画番組３０２ａの最初に再生されるピクチャから縮小画像１０５ａを生成する。その結果、情報表示装置１００は、ＨＤＭＩにしたがって情報提供装置３００に接続されている場合と同様、ＵＩ部品として縮小画像１０５ａを含む録画一覧Ｌ１を表示する。
【００６７】
なお、情報表示装置１００の表示部１０７は、例えばリモコンなどによるユーザからの操作を受け付けて、録画一覧Ｌ１に含まれる番組欄のうち、ユーザから選択された番組欄を他の番組欄よりも大きく表示する。このとき、その選択された番組欄の縮小画像１０５ａは拡大される。さらに、情報表示装置１００のＵＩ実行部１０２は、その番組欄に対応する録画番組３０２ａを縮小動画１０５ｂとしてストリーミング再生し、表示部１０７に対して、録画一覧Ｌ１内の拡大された縮小画像１０５ａの位置にその縮小動画１０５ｂを表示させる。つまり、番組欄が選択されると、その番組欄では、サムネイルが拡大された後に、動画の再生表示が開始される。このストリーミング再生では、ＵＩ実行部１０２は、取得要求部１０１を介して録画番組３０２ａの送信を情報提供装置３００に要求し、情報提供装置３００からストリーミングにより送信される録画番組３０２ａを、取得要求部１０１を介して取得する。そして、ＵＩ実行部１０２は、録画番組３０２ａを低解像度でストリーミング再生し、縮小動画１０５ｂを表示部１０７に表示させる。
【００６８】
図５は、情報提供装置３００と情報表示装置１００との間での処理動作を示すシーケンス図である。
【００６９】
情報表示装置１００は、まず、ユーザからの操作に応じて、情報提供装置３００に一覧生成用情報を要求する（ステップＳ１００）。この要求を受けた情報提供装置３００は、一覧生成用情報がネットワーク２１０経由で送信されるため、縮小画像３０２ｂを含んでいない一覧生成用情報、つまり録画一覧情報３０１ａおよびレイアウト情報３０４ａのみを含む一覧生成用情報を情報表示装置１００に送信する（ステップＳ１０１）。
【００７０】
情報表示装置１００は、その一覧生成用情報を受信すると、その一覧生成用情報に、表示されるべき縮小画像３０２ｂが含まれていないと判定する（ステップＳ１０２）。その結果、情報表示装置１００は、情報提供装置３００に対して録画番組３０２ａを要求する（ステップＳ１０３）。この要求を受けた情報提供装置３００は、その録画番組３０２ａを情報表示装置１００に送信する（ステップＳ１０４）。
【００７１】
情報表示装置１００は、その録画番組３０２ａを受信し（ステップＳ１０５）、その録画番組３０２ａから縮小画像１０５ａを生成する（ステップＳ１０６）。そして、情報表示装置１００は、その生成された縮小画像１０５ａを含む録画一覧を表示する（ステップＳ１０７）。
【００７２】
図６は、情報提供装置３００の録画処理部３０５の処理動作を示すフローチャートである。
【００７３】
録画処理部３０５は、番組の録画を行い（ステップＳ２００）、その録画によって生成された録画番組３０２ａを録画管理部３０２に格納する（ステップＳ２０１）。次に、録画処理部３０５は、その録画番組３０２ａから縮小画像３０２ｂを生成し、その縮小画像３０２ｂも録画管理部３０２に格納する（ステップＳ２０２）。その後、録画処理部３０５は、一覧管理部３０１に格納されている録画一覧情報３０１ａを更新する（ステップＳ２０３）。つまり、録画処理部３０５は、ステップＳ２０１で格納された録画番組３０２ａに対する番組情報が録画一覧情報３０１ａに追加されるように、その録画一覧情報３０１ａを更新する。さらに、録画処理部３０５は、レイアウト管理部３０４に格納されているレイアウト情報３０４ａを更新する（ステップＳ２０４）。つまり、録画処理部３０５は、ステップＳ２０３で追加された番組情報に対応するＵＩ部品の構成情報がレイアウト情報３０４ａに含まれるように、そのレイアウト情報３０４ａを更新する。
【００７４】
図７は、情報提供装置３００の配信処理部３０３の処理動作を示すフローチャートである。
【００７５】
配信処理部３０３は、情報表示装置１００からの一覧生成用情報の要求を受け付けると（ステップＳ３００）、その一覧生成用情報の送信がネットワーク経由で行われるか否かを判別する（ステップＳ３０１）。ここで、配信処理部３０３は、ネットワーク経由で行われると判別すると（ステップＳ３０１のＹ）、録画一覧情報３０１ａとレイアウト情報３０４ａとを含む一覧生成用情報を、ネットワーク経由で情報表示装置１００に送信する（ステップＳ３０２）。一方、配信処理部３０３は、ネットワーク経由で行われないと判別すると（ステップＳ３０１のＮ）、録画一覧情報３０１ａとレイアウト情報３０４ａと縮小画像３０２ｂとを含む一覧生成用情報を情報表示装置１００に送信する（ステップＳ３０３）。
【００７６】
ステップＳ３０２またはＳ３０３の後、配信処理部３０３は、情報表示装置１００から録画番組３０２ａの要求を受け付けたか否かを判別する（ステップＳ３０４）。ここで、配信処理部３０３は、受け付けたと判別すると（ステップＳ３０４のＹ）、録画番組３０２ａを情報表示装置１００に送信する（ステップＳ３０５）。一方、配信処理部３０３は、受け付けていないと判別すると（ステップＳ３０４のＮ）、情報の配信に関する処理を終了する。
【００７７】
図８は、情報表示装置１００のＵＩ実行部１０２の処理動作を示すフローチャートである。
【００７８】
ＵＩ実行部１０２は、一覧生成用情報を情報提供装置３００に要求する（ステップＳ４００）。つまり、ＵＩ実行部１０２は、取得要求部１０１に対して一覧生成用情報の要求を指示する。取得要求部１０１は、その指示に応じて、一覧生成用情報の情報表示装置１００への送信を情報提供装置３００に要求する。このような要求を受け付けた情報提供装置３００は、その要求に応じて、情報表示装置１００に一覧生成用情報を送信する。
【００７９】
次に、ＵＩ実行部１０２は、情報提供装置３００から送信された一覧生成用情報を、取得要求部１０１を介して取得する（ステップＳ４０１）。つまり、取得要求部１０１は、一覧生成用情報を情報提供装置３００から取得し、その一覧生成用情報をＵＩ実行部１０２に出力する。
【００８０】
そして、ＵＩ実行部１０２は、取得した一覧生成用情報に含まれている録画一覧情報３０１ａを縮小画像情報検出部１０３に出力する（ステップＳ４０２）。縮小画像情報検出部１０３は、録画一覧情報３０１ａをＵＩ実行部１０２から取得すると、その録画一覧情報３０１ａに縮小画像情報が含まれているか否かを判定し、その判定結果をＵＩ実行部１０２に通知する。ＵＩ実行部１０２は、その通知された判定結果に基づいて、録画一覧情報３０１ａに縮小画像情報が含まれていると判定されたか否かを判断する（ステップＳ４０３）。
【００８１】
ここで、ＵＩ実行部１０２は、縮小画像情報が含まれていないと判定されたと判断すると（ステップＳ４０３のＮ）、ステップＳ４０１で取得した一覧生成用情報に含まれる録画一覧情報３０１ａおよびレイアウト情報３０４ａをＵＩ生成部１０６に出力し、ＵＩ生成部１０６に録画一覧を生成させる（ステップＳ４０４）。
【００８２】
一方、ＵＩ実行部１０２は、縮小画像情報が含まれていると判定されたと判断すると（ステップＳ４０３のＹ）、さらに、その縮小画像情報によって識別される縮小画像３０２ｂがステップＳ４０１で録画一覧情報３０１ａと共に取得されているか否かを判別する（ステップＳ４０５）。つまり、ＵＩ実行部１０２は、縮小画像３０２ｂがステップＳ４０１で取得された一覧生成用情報に含まれているか否かを判別する。
【００８３】
ここで、ＵＩ実行部１０２は、縮小画像３０２ｂが取得されていないと判別すると（ステップＳ４０５のＮ）、その縮小画像情報に対応する録画番組３０２ａを情報提供装置３００に要求して取得する（ステップＳ４０６）。つまり、ＵＩ実行部１０２は、取得要求部１０１に対して録画番組３０２ａの要求を指示する。取得要求部１０１は、その指示に応じて、録画番組３０２ａの情報表示装置１００への送信を情報提供装置３００に要求する。このような要求を受け付けた情報提供装置３００は、その要求に応じて、情報表示装置１００に録画番組３０２ａを送信する。ＵＩ実行部１０２は、情報提供装置３００から送信された録画番組３０２ａを、取得要求部１０１を介して取得する。さらに、ＵＩ実行部１０２は、ステップＳ４０６で取得した録画番組３０２ａを縮小画像生成部１０４に出力することによって、縮小画像生成部１０４に対して、その録画番組３０２ａに対応する縮小画像１０５ａを生成させて縮小画像管理部１０５に格納させる（ステップＳ４０７）。
【００８４】
次に、ＵＩ実行部１０２は、ステップＳ４０５で縮小画像３０２ｂが取得されていると判別したとき（ステップＳ４０５のＹ）、または、ステップＳ４０７で縮小画像１０５ａが生成されたときには、その縮小画像を含む録画一覧をＵＩ生成部１０６に生成させる（ステップＳ４０８）。つまり、ステップＳ４０５で縮小画像３０２ｂが取得されていると判別したときには、ＵＩ実行部１０２は、ステップＳ４０１で取得された一覧生成用情報に含まれる録画一覧情報３０１ａ、レイアウト情報３０４ａおよび縮小画像３０２ｂをＵＩ生成部１０６に出力する。ＵＩ生成部１０６は、このように出力された録画一覧情報３０１ａ、レイアウト情報３０４ａおよび縮小画像３０２ｂを用いて録画一覧を生成する。また、ステップＳ４０７で縮小画像１０５ａが生成されたときには、ＵＩ実行部１０２は、ステップＳ４０１で取得された一覧生成用情報に含まれる録画一覧情報３０１ａおよびレイアウト情報３０４ａと、生成されて縮小画像管理部１０５に格納されている縮小画像１０５ａとをＵＩ生成部１０６に出力する。ＵＩ生成部１０６は、このように出力された録画一覧情報３０１ａ、レイアウト情報３０４ａおよび縮小画像１０５ａを用いて録画一覧を生成する。
【００８５】
そして、ＵＩ実行部１０２は、ＵＩ生成部１０６で生成された録画一覧を表示部１０７に表示させる（ステップＳ４０９）。
【００８６】
以上、本発明に係る情報表示装置について、上記実施の形態を用いて説明したが、本発明はこれに限定されるものではない。
【００８７】
図９は、本発明に係る情報表示装置の構成を示すブロック図である。
情報表示装置１０は、動画像である録画番組を格納している情報提供装置３００と通信し、情報提供装置３００に格納されている録画番組の一覧である録画一覧を表示する装置であって、情報提供装置３００に格納されている録画番組ごとに、少なくとも当該録画番組の属性を示す一覧生成用情報を、情報提供装置３００に要求して取得する情報取得部１１と、情報取得部１１によって取得された一覧生成用情報に、録画番組の縮小画像が含まれているか否かを判定する判定部１２と、判定部１２によって含まれていないと判定された際に、その縮小画像に対応する録画番組を情報提供装置３００に要求し、その録画番組の少なくとも一部を取得する番組取得部１３と、番組取得部１３によって取得された録画番組の少なくとも一部から縮小画像を生成する縮小画像生成部１４と、一覧生成用情報によって示される録画番組の属性を表示するための属性画像と、縮小画像生成部１４によって生成された縮小画像とを含む録画一覧を生成する一覧生成部１５と、一覧生成部１５によって生成された録画一覧を表示する表示部１６とを備える。
【００８８】
ここで、図９に示す本発明と上記実施の形態との間には、以下のような対応関係がある。つまり、情報表示装置１０は上記実施の形態の情報表示装置１００に相当する。情報取得部１１および番組取得部１３はそれぞれ、上記実施の形態の取得要求部１０１およびＵＩ実行部１０２の一部の機能に相当する。判定部１２は、上記実施の形態の縮小画像情報検出部１０３およびＵＩ実行部１０２の一部の機能に相当し、縮小画像生成部１４は、上記実施の形態の縮小画像生成部１０４に相当する。さらに、一覧生成部１５は、上記実施の形態のＵＩ生成部１０６およびＵＩ実行部１０２の一部の機能に相当し、表示部１６は、上記実施の形態の表示部１０７に相当する。また、属性画像は、上記実施の形態における番組タイトルなどが表記されたＵＩ部品に相当する。
【００８９】
これにより、情報表示装置１０に取得された一覧生成用情報に縮小画像が含まれていない場合には、情報表示装置１０から情報提供装置３００に対して録画番組が要求され、情報表示装置１０では、その録画番組から縮小画像が生成されて、その縮小画像が録画一覧に含めて表示される。つまり、情報提供装置３００がネットワークを介して情報表示装置１０に接続されているために、その情報提供装置３００が縮小画像を含む一覧生成用情報を情報表示装置１０に送信することができない場合であっても、情報表示装置１０では、縮小画像を自動的に生成することができ、その縮小画像を含む録画一覧を表示することができる。
【００９０】
したがって、本発明に係る情報表示装置１０は、上記実施の形態の図１に示すように、縮小画像管理部１０５などの構成要素を備えていなくてもよい。
【００９１】
また、上記実施の形態における情報表示装置１００は、図５に示すように、表示されるべき縮小画像３０２ｂが一覧生成用情報に含まれていないとステップＳ１０２で判定した場合には、ステップＳ１０３で録画番組３０２ａを情報提供装置３００に要求し、ステップＳ１０６でその録画番組３０２ａから縮小画像１０５ａを生成した。しかし、情報表示装置１００は、その判定よりも前の過去に生成された縮小画像１０５ａが縮小画像管理部１０５にあれば、その過去に生成された縮小画像を再利用してもよい。
【００９２】
つまり、情報表示装置１００のＵＩ実行部１０２は、録画番組３０２ａの縮小画像３０２ｂが一覧生成用情報に含まれていないとステップＳ１０２で判定された際に、縮小画像管理部１０５に格納されている既存画像が利用可能か否かを判定する利用判定部を備える。ここで、縮小画像生成部１０４は、縮小画像１０５ａを生成するごとに、その縮小画像１０５ａを既存画像として縮小画像管理部１０５に格納している。そして、ＵＩ実行部１０２および取得要求部１０１は、その利用判定部によって利用可能と判定された際には、録画番組３０２ａの情報提供装置３００への要求を行わない。さらに、ＵＩ生成部１０６は、利用判定部によって利用可能と判定された際には、縮小画像管理部１０５に格納されている既存画像、つまり過去に生成された縮小画像１０５ａを含む録画一覧を生成する。例えば、利用判定部は、ステップＳ１０２で含まれていないと判定された縮小画像３０２ｂに対応する録画番組３０２ａの少なくとも一部からその既存画像が生成されている場合に、その既存画像が利用可能であると判定する。言い換えれば、利用判定部は、ステップＳ１０２で含まれていないと判定された縮小画像３０２ｂと、既存画像とがそれぞれ同じ録画番組３０２ａから生成されている場合に、その既存画像が利用可能と判定する。
【００９３】
これにより、縮小画像３０２ｂが一覧生成用情報に含まれていないと判定するたびに、録画番組３０２ａを情報提供装置３００に要求して取得し、その録画番組３０２ａから縮小画像１０５ａを生成するような処理を省くことができる。つまり、図５に示す、ステップＳ１０３〜Ｓ１０６の処理を省くことができる。その結果、既存画像である縮小画像を含む録画一覧を迅速に表示することができる。
【００９４】
また、上記実施の形態における情報表示装置１０は、図５に示すように、ステップＳ１０３で録画番組３０２ａを情報提供装置３００に要求してステップＳ１０６で縮小画像１０５ａを生成する代わりに、ネットワークを介してその縮小画像を検索して取得してもよい。
【００９５】
つまり、情報表示装置１００は、さらに、録画番組３０２ａの縮小画像３０２ｂが一覧生成用情報に含まれていないと判定された際に、情報表示装置１００にネットワークを介して接続された少なくとも１つの機器から、その縮小画像３０２ｂとして利用可能な代替画像を検索する検索部と、一覧生成用情報に含まれていないと判定された縮小画像３０２ｂに対する対応処理を、縮小画像生成部１０４による縮小画像の生成と、上述の検索部による代替画像の検索とに切り替える切り替え部とを備える。そして、ＵＩ生成部１０６は、切り替え部によってその対応処理が代替画像の検索に切り替えられた場合には、縮小画像１０５ａの代わりに、検索部によって検索された代替画像を含む録画一覧を生成する。例えば、検索部は、一覧生成用情報によって示される録画番組３０２ａの属性に関連付けられている画像を上述の代替画像として検索する。具体的には、検索部は、録画一覧情報３０１ａに示される、番組タイトル「プロ野球  ○○対××」および日付「２００９／９／２９」をキーにして代替画像を検索する。また、その代替画像のサイズが縮小画像３０２ｂのサイズと異なる場合には、ＵＩ生成部１０６は、その代替画像のサイズを縮小画像３０２ｂのサイズに変更して録画一覧に含めてもよい。
【００９６】
また、上記実施の形態における縮小画像生成部１０４は、縮小画像１０５ａを生成するときには、録画一覧情報３０１ａに示される縮小画像３０２ｂのファイル名（＜ｔｈｕｍｂｎａｉｌ＞タグ）に基づいて、その縮小画像３０２ｂのファイル形式を特定し、そのファイル形式の縮小画像１０５ａを生成した。しかし、その特定されたファイル形式の画像を表示部１０７で表示することができない場合には、縮小画像生成部１０４は、表示部１０７によって表示可能なファイル形式で縮小画像１０５ａを生成してもよい。
【００９７】
例えば、縮小画像生成部１０４は、録画一覧情報３０１ａに示される縮小画像３０２ｂのファイル名（＜ｔｈｕｍｂｎａｉｌ＞タグ）に基づいて、その縮小画像３０２ｂのファイル形式がｐｎｇ形式であると判断する。しかし、縮小画像生成部１０４は、表示部１０７によって表示可能なファイル形式がｊｐｇ形式だけであれば、ｊｐｇ形式の縮小画像１０５ａを生成する。
【００９８】
これにより、例えば、情報提供装置３００と情報表示装置１００との間で、画像データフォーマットについての対応機能のバージョンが異なっていても、縮小画像を含む録画一覧を適切に表示することができる。
【００９９】
また、上記実施の形態における情報提供装置３００の録画処理部３０５は、録画番組３０２ａを生成したときに、その録画番組３０２ａに対する縮小画像３０２ｂを生成したが、他のタイミングでその縮小画像３０２ｂを生成して録画管理部３０２に格納してもよい。例えば、録画処理部３０５は、情報表示装置１００から一覧生成用情報の要求が受け付けられ、その一覧生成用情報がネットワークを介して送信されないと判別されたたときに、縮小画像３０２ｂを生成してもよい。
【０１００】
また、上記実施の形態における縮小画像生成部１０４は、録画番組３０２ａを再生した際の最初に表示されるピクチャを選択し、その選択されたピクチャを縮小することによって縮小画像１０５ａを生成したが、その最初に表示されるピクチャ以外のピクチャを選択し、その選択されたピクチャから縮小画像１０５ａを生成してもよい。例えば、縮小画像生成部１０４は、録画番組３０２ａの再生開始から１０秒後に表示されるピクチャを選択し、その選択されたピクチャから縮小画像１０５ａを生成してもよい。
【０１０１】
また、以下のような場合も本発明に含まれる。
【０１０２】
（１）上記の情報表示装置は、具体的には、マイクロプロセッサ、ＲＯＭ、ＲＡＭ、ハードディスクユニット、ディスプレイユニット、キーボード、マウスなどから構成されるコンピュータシステムである。上記ＲＡＭまたはハードディスクユニットには、コンピュータプログラムが記憶されている。上記マイクロプロセッサが、上記コンピュータプログラムにしたがって動作することにより、情報表示装置は、その機能を達成する。ここでコンピュータプログラムは、所定の機能を達成するために、コンピュータに対する指令を示す命令コードが複数個組み合わされて構成されたものである。
【０１０３】
（２）上記の情報表示装置を構成する構成要素の一部または全部は、１個のシステムＬＳＩ（Ｌａｒｇｅ  Ｓｃａｌｅ  Ｉｎｔｅｇｒａｔｉｏｎ：大規模集積回路）から構成されているとしてもよい。システムＬＳＩは、複数の構成部を１個のチップ上に集積して製造された超多機能ＬＳＩであり、具体的には、マイクロプロセッサ、ＲＯＭ、ＲＡＭなどを含んで構成されるコンピュータシステムである。上記ＲＡＭには、コンピュータプログラムが記憶されている。上記マイクロプロセッサが、上記コンピュータプログラムにしたがって動作することにより、システムＬＳＩは、その機能を達成する。
【０１０４】
また、上記の情報表示装置を構成する構成要素の各部は、個別に１チップ化されていてもよいし、一部またはすべてを含むように１チップ化されていてもよい。
【０１０５】
また、ここでは、システムＬＳＩと呼称したが、集積度の違いにより、ＩＣ、ＬＳＩ、スーパーＬＳＩ、ウルトラＬＳＩと呼称されることもある。また、集積回路化の手法はＬＳＩに限られるものではなく、専用回路または汎用プロセッサで実現してもよい。また、ＬＳＩ製造後に、プログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。
【０１０６】
さらには、半導体技術の進歩または派生する別技術によりＬＳＩに置き換わる集積回路化の技術が登場すれば、当然、その技術を用いて構成要素の集積化を行ってもよい。バイオ技術の適応等が可能性としてありえる。
【０１０７】
（３）上記の情報表示装置を構成する構成要素の一部または全部は、各装置に脱着可能なＩＣカードまたは単体のモジュールから構成されているとしてもよい。上記ＩＣカードまたは上記モジュールは、マイクロプロセッサ、ＲＯＭ、ＲＡＭなどから構成されるコンピュータシステムである。上記ＩＣカードまたは上記モジュールは、上記の超多機能ＬＳＩを含むとしてもよい。マイクロプロセッサが、コンピュータプログラムにしたがって動作することにより、上記ＩＣカードまたは上記モジュールは、その機能を達成する。このＩＣカードまたはこのモジュールは、耐タンパ性を有するとしてもよい。
【０１０８】
（４）本発明は、上記に示す方法であるとしてもよい。また、これらの方法をコンピュータにより実現するコンピュータプログラムであるとしてもよいし、上記コンピュータプログラムからなるデジタル信号であるとしてもよい。
【０１０９】
また、本発明は、上記コンピュータプログラムまたは上記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなどに記録したものとしてもよい。また、これらの記録媒体に記録されている上記デジタル信号であるとしてもよい。
【０１１０】
また、本発明は、上記コンピュータプログラムまたは上記デジタル信号を、電気通信回線、無線または有線通信回線、インターネットを代表とするネットワーク、データ放送等を経由して伝送するものとしてもよい。
【０１１１】
また、本発明は、マイクロプロセッサとメモリを備えたコンピュータシステムであって、上記メモリは、上記コンピュータプログラムを記憶しており、上記マイクロプロセッサは、上記コンピュータプログラムにしたがって動作するとしてもよい。
【０１１２】
また、上記プログラムまたは上記デジタル信号を上記記録媒体に記録して移送することにより、または上記プログラムまたは上記デジタル信号を上記ネットワーク等を経由して移送することにより、独立した他のコンピュータシステムにより実施するとしてもよい。
【０１１３】
（５）さらに加えて、本発明に係る情報表示装置（表示部を除く）を集積化した半導体チップと、画像を描画するためのディスプレイとを組み合せて、様々な用途に応じた描画機器を構成することができる。携帯電話やテレビ、デジタルビデオレコーダ、デジタルビデオカメラ、カーナビゲーション等における情報描画手段として、本発明を利用することが可能である。ディスプレイとしては、ブラウン管（ＣＲＴ）の他、液晶やＰＤＰ（プラズマディスプレイパネル）、有機ＥＬなどのフラットディスプレイ、プロジェクターを代表とする投射型ディスプレイなどと組み合わせることが可能である。
【０１１４】
（６）上記実施の形態およびその他のバリエーションをそれぞれ組み合わせるとしてもよい。
【産業上の利用可能性】
【０１１５】
本発明にかかる情報表示装置は、録画番組の縮小画像を情報提供装置から得られない場合でも、その縮小画像を含む録画一覧を表示することができるという効果を奏し、例えば、携帯電話、携帯音楽プレーヤー、デジタルカメラ、またはデジタルビデオカメラ等の電池駆動の携帯表示端末に適用することができるとともに、テレビ、デジタルビデオレコーダ、またはカーナビゲーション等の高解像度の情報表示機器における、メニュー表示、Ｗｅｂブラウザ、エディタ、ＥＰＧ、または地図表示等を行う情報表示手段として利用価値が高い。
【符号の説明】
【０１１６】
１０    情報表示装置
１１    情報取得部
１２    判定部
１３    番組取得部
１４    縮小画像生成部
１５    一覧生成部
１６    表示部
１００    情報表示装置
１０１    取得要求部
１０２    ＵＩ実行部
１０３    縮小画像情報検出部
１０４    縮小画像生成部
１０５    縮小画像管理部
１０５ａ    縮小画像
１０６    ＵＩ生成部
１０７    表示部
２１０    ネットワーク
３００    情報提供装置
３０１    一覧管理部
３０１ａ    録画一覧情報
３０２    録画管理部
３０２ａ    録画番組
３０２ｂ    縮小画像
３０３    配信処理部
３０４    レイアウト管理部
３０４ａ    レイアウト情報
３０５    録画処理部
Ｌ１    録画一覧
【図１】
2012029068.tif 000003
【図２】
2012029068.tif 000004
【図３】
2012029068.tif 000005
【図４】
2012029068.tif 000006
【図５】
2012029068.tif 000007
【図６】
2012029068.tif 000008
【図７】
2012029068.tif 000009
【図８】
2012029068.tif 000010
【図９】
2012029068.tif 000011
【図１０】
2012029068.tif 000012
【図１１Ａ】
2012029068.tif 000013
【図１１Ｂ】
2012029068.tif 000014
【図１２】
2012029068.tif 000015